(57)【特許請求の範囲】
【請求項１】
外背板（３）と、その両側に各々側折線（４）を介して設けたくの字補強板（６）と、外背板（３）のくの字補強板（６）の天縁より上の部分に設けた擡げ域（８）と、擡げ域（８）の天縁へ谷折り線である天折線（９）を介して設けた内背板（１０）と、内背板（１０）の外縁へ山折り線を介して設けた台接着片（１１）又は半円形状の台板（１２）と、を有する骨子体（１）と、
正面板（１４）と、その両側に山折り線を介して各々設けた調節帯（１５）と、各調節帯（１５）の側外縁へ山折り線を介して設けた背接着片（１６）と、を有する外装体（２）
から成り、
外装体（２）の両側端の背接着片（１６）を骨子体（１）の外背板（３）に接着することにより外装体（２）を骨子体（１）に固定し、
くの字補強板（６）の略中央に縦方向に設けた補強折線（５）でくの字補強板（６）を山折りしてくの字形にするとともに、その先端に設けた側接着片（７）を外装体（２）の正面板（１４）の内側に接着し、
天折線（９）を介して内背板（１０）を折り曲げて擡げ域（８）に重ね、更に台接着片（１１）に半円形状の台板（１２）を接着してその台板（１２）を、又は内背板（１０）に接続して形成された半円形状の台板（１２）を、前記山折り線で折ってくの字補強板（６）の上に乗せることにより組み立てられるくの字補強板付き陳列台。
【発明の詳細な説明】
【０００１】
【発明の属する技術分野】
本発明は、商品や景品などを乗せて陳列する為の陳列台に関する。
【０００２】
【従来の技術】
従来の陳列台は、台板を下から補強する為に、平な二枚の補強板の中央どうしを上下に噛み合わせてＸ字状に組み立てた物を用いていた。
【０００３】
【発明が解決しようとする課題】
従来技術でも強度面に於いての問題は無いが、補強板が別個である事によって組み立てた状態で移動する場合、補強板を下から持ち上げる必要があり、組み立て作業では、補強板どうしを噛み合わせる為の余分な手間が必要であった。
【０００４】
【課題を解決するための手段】
補強板を別個に設けるのではなく背板の両側へ連接して一体化して設け、補強板どうしは噛み合わせず、陳列台の中央へ向けてくの字状に折り曲げて、くの字状に折り曲げられた補強板の外側縁を外装体の内側へ接着する事によって固定し、補強板がくの字に屈折している事によって補強板の強度が増し、陳列台を折り畳む事が可能となる。
【０００５】
【発明の実施の形態】
発明の実施の形態について図面を参照して説明すると、骨子体を展開した状態で示した平面図の図１に於いて、骨子体１及び台板１２は腰のある段ボール紙又は腰のある厚紙を素材に用い、骨子体１の中央へ縦長矩形の形状で外背板３を設け、外背板３の両側へ谷折り線である側折線４を介してくの字補強板６を設け、くの字補強板６の中央を縦に貫く山折り線で補強折線５を設け、夫々のくの字補強板６の外側縁へ山折り線を介して側接着片７を設け、外背板３の上部領域はくの字補強板６の上縁よりも上へ突き出しており、この突き出た領域を擡げ域８と称して設け、外背板３の上縁へ谷折り線である天折線９を介して内背板１０を設け、内背板１０は擡げ域８と同形状であり、内背板１０の外縁へ山折り線を介して台接着片１１を設け、台接着片１１の背面へ台板１２を接着する事によって内背板１０と連接させるのであるが、台接着片１１の形状を台板１２と同形にする事によって台板１２と同じ働きにしても良く、台板１２の形状は半円形と類似形状であるが、半円の直線部分を背方へずらせて面積を増やした形状にして設け、台板１２の円形部分は正面方向へ向け、組み立て時に正面方向となる円形縁の中央を指の幅よりやや広めの半円形状で切り取った領域を指窪み１３と称して設ける。
【０００６】
外装体を展開した状態で示した平面図の図２に於いて、中央へ正面板１４を設け、正面板１４は正方形に近い対比の四角形であるが、上辺は組み立て使用時に台板へ乗せられた商品が正面方向から見えやすくする為に下方へ適度に湾曲しており、正面板１４の両側山折り線を介して調節帯１５を設け、夫々の調節帯１５の外縁へ山折り線を介して背接着片１６を設ける。
【０００７】
本発明物を組み立て、台板を開けた状態で上方から示した斜視図の図３に於いて、骨子体１の外背板３の両側からくの字補強板６が正面方向へ連接しており、くの字補強板６の外縁に有する側接着片７は外装体２の正面板１４の内側へ接着固定され、台接着片１１によって台板１２は接着されて内背板１０と連接しており、擡げ域８によって組み立て時に内背板１０の上縁となる天折線９は擡げられており、くの字補強板６がくの字に屈折している事によって上に乗せられる台板１２を広い範囲で補強する事ができる。
【０００８】
本発明物の組み立てが完了した状態で正面方向から示した斜視図の図４に於いて、擡げ域８によって天折線９は擡げられている事から擡げ域８と内背板１０とが重なって二重構造と成り、天折線９と外装体２の上縁全体が連結しているので台板１２の周囲に枠壁が作られており、台板１２上に商品が乗せられても枠壁によって零れ落ちを防止できる。
【０００９】
本発明物を下方から示した斜視図の図５に於いて、外装体２の両側に有する背接着片１６は、骨子体１の外背板３の両側領域の背面へ接着固定している事によって周囲は筒形状を形成し、くの字補強板６は台板１２の下面を広い範囲から支え、くの字補強板６がくの字に屈折している事によって強度が増す他、従来技術の補強板が中央どうしを噛み合わせてＸ字状に形成したのと同じ働きを成し、台板１２の正面縁中央へ指窪み１３が設けられている事によって指を引掛けて台板１２を持ち上げて折り畳み易くできる。
【００１０】
本発明物を折り畳んだ状態で示した斜視図の図６に於いて、外背板３の横幅に対して正面板１４の横幅が広い事から、本発明物を折り畳む場合に両者の幅の違いを調節する必要があり、両者の間に有する調節帯１５が幅調節の役割を果たして本発明物は平な状態に折り畳む事ができ、又、くの字補強板６がくの字状に屈折する事によって、平に折り畳む事ができる。
【００１１】
【発明の効果】
くの字補強板の一方が外背板と連接しており、くの字補強板の他方は側接着片によって正面板の内側と連接している事によって、くの字補強板は一体化しているので組み立て後も自由に持ち上げて移動しても補強板が落ちる事は無く、くの字補強板がくの字に屈折している事によって、補強板の中央どうしを噛み合わせる組み立て作業が省略され、平に折り畳む事ができ、広い範囲で台板の下面を支える事ができる。
【図面の簡単な説明】
【図１】骨子体を展開した状態で示した平面図。
【図２】外装体を展開した状態で示した平面図。
【図３】本発明物を組み立て、台板を開けた状態で上方から示した斜視図。
【図４】本発明物の組み立てが完了した状態で正面方向から示した斜視図。
【図５】本発明物を下方から示した斜視図。
【図６】本発明物を折り畳んだ状態で示した斜視図。
【符号の説明】
１  骨子体
２  外装体
３  外背板
４  側折線
５  補強折線
６  くの字補強板
７  側接着片
８  擡げ域
９  天折線
10  内背板
11  台接着片
12  台板
13  指窪み
14  正面板
15  調節帯
16  背接着片
【図１】
0003703886.tif 000002
【図２】
0003703886.tif 000003
【図３】
0003703886.tif 000004
【図４】
0003703886.tif 000005
【図５】
0003703886.tif 000006
【図６】
0003703886.tif 000007